【手続補正書】
【提出日】平成27年10月14日(2015.10.14)
【手続補正１】
【補正対象書類名】明細書
【補正対象項目名】０００８
【補正方法】変更
【補正の内容】
【０００８】
そこで、本発明の目的は、オンラインで文書を閲覧する仕組みにおいて、サーバへのアクセス数の制限を越えた場合でも文書を閲覧することができる仕組みを提供することである。
【手続補正２】
【補正対象書類名】明細書
【補正対象項目名】０００９
【補正方法】変更
【補正の内容】
【０００９】
本発明の目的を達成するための、オンラインで文書を情報処理装置に表示可能なサーバであって、オフラインで前記文書を閲覧するオフラインファイルを記憶する記憶手段と、前記文書をオンラインで表示すべく、前記情報処理装置からのアクセスを受け付けるアクセス受付手段と、前記アクセス受付手段により受け付けたアクセスが、予め設定された制限数を超えた場合に、オフラインファイルを送信する条件を満たす前記文書を閲覧するユーザに対して、前記文書をオフラインにて閲覧可能とすべく、前記オフラインファイルを送信制御する閲覧方法制御手段とを備えることを特徴とする。
【手続補正３】
【補正対象書類名】明細書
【補正対象項目名】００１０
【補正方法】変更
【補正の内容】
【００１０】
本発明によれば、オンラインで文書を閲覧する仕組みにおいて、サーバへのアクセス数の制限を越えた場合でも文書を閲覧することができる。
【手続補正４】
【補正対象書類名】特許請求の範囲
【補正対象項目名】全文
【補正方法】変更
【補正の内容】
【特許請求の範囲】
【請求項１】
オンラインで文書を情報処理装置に表示可能なサーバであって、
オフラインで前記文書を閲覧するオフラインファイルを記憶する記憶手段と、
前記文書をオンラインで表示すべく、前記情報処理装置からのアクセスを受け付けるアクセス受付手段と、
前記アクセス受付手段により受け付けたアクセスが、予め設定された制限数を超えた場合に、オフラインファイルを送信する条件を満たす前記文書を閲覧するユーザに対して、前記文書をオフラインにて閲覧可能とすべく、前記オフラインファイルを送信制御する閲覧方法制御手段と
を備えることを特徴とするサーバ。
【請求項２】
前記アクセス受付手段により受け付けたアクセスに対応するユーザが所定の期間内にアクセスがあったユーザか否かを判定するアクセス判定手段を更に備え、
前記閲覧方法制御手段は、前記アクセス受付手段により受け付けたアクセスが、予め設定された制限数を超えた場合で、前記アクセス判定手段で所定期間内にアクセスがあったユーザと判定された場合には、前記ユーザに対してオンラインで前記文書を閲覧させ、所定期間内にアクセスがなかったユーザと判定された場合には、前記ユーザに対して前記文書をオフラインにて閲覧可能とすべく、前記オフラインファイルを送信制御することを特徴とする請求項１に記載のサーバ。
【請求項３】
前記アクセス受付手段により受け付けたアクセスが、予め設定された制限数を超えた場合に、セッションタイムアウト時間を変更する変更手段と、
前記変更手段でセッションタイムアウト時間を変更することで、ログアウトされるユーザに対してログアウトされることを通知すべく、メッセージを送信するメッセージ送信手段と
を更に備えることを特徴とする請求項１又は２に記載のサーバ。
【請求項４】
前記閲覧方法制御手段は、前記メッセージ送信手段で送信したユーザに対して前記オフラインファイルを送信制御することを特徴とする請求項３に記載のサーバ。
【請求項５】
前記制限数は、同時接続可能数とオフラインファイル送信開始接続数であり、
前記同時接続可能数を超えるか否かを判定する同時接続可能数判定手段と、
前記オフラインファイル送信開始接続数を超えるか否かを判定するオフラインファイル送信開始接続数判定手段と
を更に備え、
前記閲覧方法制御手段は、前記同時接続可能数判定手段で同時接続可能数を超えないと判定され、前記オフラインファイル送信開始接続数判定手段でオフラインファイル送信開始接続数を超えると判定される場合に、前記オフラインファイルを送信制御することを特徴とする請求項１乃至４のいずれか１項に記載のサーバ。
【請求項６】
予め設定された制限数を超えた場合に、参照ユーザを特定する参照ユーザ特定手段を更に備え、
前記閲覧方法制御手段は、前記参照ユーザ特定手段で特定されたユーザに対して、前記オフラインで閲覧するオフラインファイルを送信制御することを特徴とする請求項１乃至５のいずれか１項に記載のサーバ。
【請求項７】
前記参照ユーザ特定手段で特定されたユーザがオフラインで閲覧可能な文書を特定するオフラインファイル特定手段と、
前記オフラインファイル特定手段で特定された文書の一覧を前記情報処理装置に送信する一覧送信手段と、
前記閲覧方法制御手段は、前記文書の一覧から選択された文書に対応するオフラインファイルを送信制御することを特徴とする請求項６に記載のサーバ。
【請求項８】
前記閲覧方法制御手段により前記オフラインファイルを送信したユーザをログアウトするログアウト手段
を更に備えることを特徴とする請求項１乃至７のいずれか１項に記載のサーバ。
【請求項９】
前記オフラインファイルの送信制御はメールを用いることを特徴とする請求項１乃至７のいずれか１項に記載のサーバ。
【請求項１０】
情報処理装置と、オンラインで文書を前記情報処理装置に表示可能なサーバを含む文書管理システムであって、
前記サーバは、
オフラインで前記文書を閲覧するオフラインファイルを記憶する記憶手段と、
前記文書をオンラインで表示すべく、前記情報処理装置からのアクセスを受け付けるアクセス受付手段と、
前記アクセス受付手段により受け付けたアクセスが、予め設定された制限数を超えた場合に、オフラインファイルを送信する条件を満たす前記文書を閲覧するユーザに対して、前記文書をオフラインにて閲覧可能とすべく、前記オフラインファイルを送信制御する閲覧方法制御手段と
を備え、
前記情報処理装置は、
前記サーバにアクセスするアクセス手段と、
前記オフラインファイルを受信制御する受信手段と
を備えることを特徴とする文書管理システム。
【請求項１１】
オンラインで文書を情報処理装置に表示可能であり、オフラインで前記文書を閲覧するオフラインファイルを記憶する記憶手段を備えるサーバの処理方法であって、
前記サーバが、
前記文書をオンラインで表示すべく、前記情報処理装置からのアクセスを受け付けるアクセス受付ステップと、
前記アクセス受付ステップにより受け付けたアクセスが、予め設定された制限数を超えた場合に、オフラインファイルを送信する条件を満たす前記文書を閲覧するユーザに対して、前記文書をオフラインにて閲覧可能とすべく、前記オフラインファイルを送信制御する閲覧方法制御ステップと
を実行することを特徴とする処理方法。
【請求項１２】
情報処理装置と、オンラインで文書を前記情報処理装置に表示可能であり、オフラインで前記文書を閲覧するオフラインファイルを記憶する記憶手段を備えるサーバを含む文書管理システムの処理方法であって、
前記サーバが、
前記文書をオンラインで表示すべく、前記情報処理装置からのアクセスを受け付けるアクセス受付ステップと、
前記アクセス受付ステップにより受け付けたアクセスが、予め設定された制限数を超えた場合に、オフラインファイルを送信する条件を満たす前記文書を閲覧するユーザに対して、前記文書をオフラインにて閲覧可能とすべく、前記オフラインファイルを送信制御する閲覧方法制御ステップと
を実行し、
前記情報処理装置が、
前記サーバにログインすべくアクセスするアクセスステップと、
前記オフラインファイルを受信制御する受信ステップと
を実行することを特徴とする処理方法。
【請求項１３】
オンラインで文書を情報処理装置に表示可能なサーバのプログラムであって、
前記サーバを、
オフラインで前記文書を閲覧するオフラインファイルを記憶する記憶手段と、
前記文書をオンラインで表示すべく、前記情報処理装置からのアクセスを受け付けるアクセス受付手段と、
前記アクセス受付手段により受け付けたアクセスが、予め設定された制限数を超えた場合に、オフラインファイルを送信する条件を満たす前記文書を閲覧するユーザに対して、前記文書をオフラインにて閲覧可能とすべく、前記オフラインファイルを送信制御する閲覧方法制御手段
として機能させることを特徴とするプログラム。